(57)【特許請求の範囲】
【請求項１】
貯蔵庫本体の取出口をドアで開閉するものであって、該ドアは、表板，周縁片及び裏接合片で断熱層を囲むドア断熱組と、この裏接合片に接合してドア断熱組の裏面を覆う裏蓋とを備え、ドア下端側を中心としてドア上端側が揺動する縦開き式のドア構造において、前記裏蓋の下端側からドア表側へ向かって行く程に下方へ変位する当接部が形成され、該当接部はその先端がドア表面位置より前方へ突出しないように設定され、前記取出口の外側周縁に該当接部を当接させて縦開き状態を保持させることを特徴とする貯蔵庫の断熱ドア構造。
【請求項２】
貯蔵庫本体の取出口をドアで開閉するものであって、該ドアは、表板，周縁片及び裏接合片で断熱層を囲むドア断熱組と、この裏接合片に接合してドア断熱組の裏面を覆う裏蓋と、把手とを備え、ドア下端側を中心としてドア上端側が揺動する縦開き式のドア構造において、前記裏蓋の上端側に前記把手を一体に形成すると共に、前記裏蓋の下端側からドア表側へ向かって行く程に下方へ変位する当接部が形成され、該当接部はその先端がドア表面位置より前方へ突出しないように設定され、前記取出口の外側周縁に該当接部を当接させて縦開き状態を保持させることを特徴とする貯蔵庫の断熱ドア構造。
【発明の詳細な説明】
【０００１】
【発明の属する技術分野】
本発明は、製氷機，冷却貯蔵庫，貯氷庫又は保温庫等の貯蔵庫の取出口を開閉する断熱ドア構造の改良に関するものである。
【０００２】
【従来の技術】
従来、製氷機の断熱ドア構造は、図５に示す如く、製氷機本体１の手前側Ａに開口した氷取出口１ａをドア２で開閉するものであり、製氷機本体１にドア２がヒンジ３を介して取付けられている。ドア２は、ドア裏面側に突設したストッパー片４を、製氷機本体１に設けた開口部１ｃからストッパー格納室１ｂへ挿入し、二点鎖線で示すように開いたときのストッパー片４の引掛け部４ａを開口部１ｃの縁部１ｄに引っ掛けるようにしてある。ドア２は、通常は、製氷機本体１の氷取出口１ａを閉じるように直立した状態に位置しているが、製氷機本体１から氷を取り出すときには、ヒンジ３を中心として手前側に傾倒し、ストッパー片４の引掛け部４ａを開口縁部１ｄに引っ掛けることで、開放状態を保持する。
【０００３】
上記ドア２は、図４に示す如く、断熱組６と、ドア断熱組６の裏面を覆う合成樹脂製裏蓋７と、把手８とを備えている。ドア断熱組６は、金属製ケーシング５の表板５ａ、周縁片５ｂ及び裏接合片５ｃで、内側に充填してある発泡ウレタン製断熱層６ａを囲むように構成してある。ドア２は、四辺の裏接合片５ｃに裏蓋７をビス又はリベット等で接合すると共に、上方の周縁片５ｂに把手８をビス又はリベット等で接合してある。ドア断熱組６は、金属製ケーシング５の周縁片５ｂに、金属製ストッパ−片４をスポット溶接で接合してある。合成樹脂製裏蓋７は、剛性を高めるために、凹凸部７ａを形成してある。ドア２は、断熱組６と裏蓋７との間に、パッキン９を配置することもある。このドア構造は、製氷機以外に、断熱壁で庫内を囲むように形成した冷却貯蔵庫，貯氷庫又は保温庫等の貯蔵庫の取出口を開閉する断熱ドアに適用することもある。
【０００４】
【発明が解決しようとする課題】
従来の貯蔵庫の断熱ドア構造には、次のような問題があった。
（１）断熱組６に裏蓋７及びストッパ−片４を別々に接合してあるため、部品点数及び接合のための作業工数が多くなる。
（２）貯蔵庫本体（製氷機本体）１にストッパー格納室１ｂを設けるため、貯蔵庫本体（製氷機本体）１の部品点数及び製造工数が多くなる。また、手前側に開口部１ｃが露出するため、見栄えが悪いと共に、水等がストッパー格納室１ｂへ浸入して不衛生になることがある。
（３）ドア断熱組６に裏蓋７及び把手８を別々に接合してあるため、部品点数及び接合のための作業工数が多くなる。
【０００５】
更に、次のような問題もある。
（４）ケーシング５の周縁片５ｂとストッパ−片４とのスポット溶接の跡が、周縁片５ｂの外側に露出するため、見栄えが悪い。
（５）合成樹脂製裏蓋７をビス又はリベット等で接合するとき、裏蓋７に割れ等の不良が生じないように注意を払う必要があるため、製造上の管理に手間を要する。
（６）発泡ウレタン製断熱層６ａに合成樹脂製裏蓋７が接触するため、裏蓋７の素材として、発泡ウレタン製断熱層６ａに耐える耐アタック性のものを選択する必要があり、面倒である。
（７）合成樹脂製裏蓋７に付着した汚れ等を除去するときに、その凹凸部７ａが邪魔となるため、清掃に多くの手間を要する。
【０００６】
本発明は、前記（１）乃至（３）の問題を解決するための貯蔵庫の断熱ドア構造の提供を目的とするものである。
【０００７】
【課題を解決するための手段】
前記（１），（２）の問題を解決するために請求項１記載の本発明が採用した手段は、貯蔵庫本体の取出口をドアで開閉するものであって、該ドアは、表板，周縁片及び裏接合片で断熱層を囲むドア断熱組と、この裏接合片に接合してドア断熱組の裏面を覆う裏蓋とを備え、ドア下端側を中心としてドア上端側が揺動する縦開き式のドア構造において、前記裏蓋の下端側からドア表側へ向かって行く程に下方へ変位する当接部が形成され、該当接部はその先端がドア表面位置より前方へ突出しないように設定され、前記取出口の外側周縁に該当接部を当接させて縦開き状態を保持させることを特徴とする貯蔵庫の断熱ドア構造である。
請求項１記載の本発明にあっては、裏蓋に当接部を一体に形成してあるため、ドア断熱組の裏接合片に裏蓋を接合すると同時に当接部を備えることになる。また、縦開き状態のときには、貯蔵庫本体の取出口の外側周縁に上記当接部を当接させるため、従来のストッパー格納室を設ける必要がない。
【０００９】
前記（１），（２），（３）の問題を解決するために請求項２記載の本発明が採用した手段は、貯蔵庫本体の取出口をドアで開閉するものであって、該ドアは、表板，周縁片及び裏接合片で断熱層を囲むドア断熱組と、この裏接合片に接合してドア断熱組の裏面を覆う裏蓋と、把手とを備え、ドア下端側を中心としてドア上端側が揺動する縦開き式のドア構造において、前記裏蓋の上端側に前記把手を一体に形成すると共に、前記裏蓋の下端側からドア表側へ向かって行く程に下方へ変位する当接部が形成され、該当接部はその先端がドア表面位置より前方へ突出しないように設定され、前記取出口の外側周縁に該当接部を当接させて縦開き状態を保持させることを特徴とする貯蔵庫の断熱ドア構造である。
請求項２記載の本発明にあっては、裏蓋と把手とストッパー片とを一体にしてあるため、ドア断熱組の裏接合片に裏蓋を接合すると同時に把手及びストッパー片を備えることになる。また、縦開き状態のときには、貯蔵庫本体の取出口の外側周縁に上記当接部を当接させるため、従来のストッパー格納室を設ける必要がない。
【００１０】
前記（４），（５），（６），（７）の問題を解決するための手段としては、請求項１又は２記載の貯蔵庫の断熱ドア構造において、前記裏蓋及び前記当接部を、一枚の金属板から一体に成形し、前記裏蓋を平坦に形成することである。
本手段にあっては、裏蓋及び当接部を一枚の金属板から一体に成形しているため、ストッパ−片を取り付ける従来のスポット溶接の跡を生じさせることもなく、また、裏蓋に割れ等の不良を生じさせることなく裏蓋をドア断熱組の裏接合片に接合でき、更に、裏蓋の耐アタック性を別に考慮する必要もなくなる。更にまた、裏蓋を平坦に形成してあるため、汚れ等が付着し難く、仮に付着しも簡単に除去できる。その結果、本手段の断熱ドア構造にあっては、ストッパ−片を取り付ける従来のスポット溶接の跡が生じないことから見栄えが良く、また、裏蓋に割れ等の不良を生じさせることなく裏蓋をドア断熱組の裏接合片に接合できるため、製造上の管理の手間を軽減でき、更に、裏蓋の耐アタック性を考慮する必要もなくなるため、設計上の手間を軽減できる。
【００１１】
ドアの剛性を増すために採用する手段としては、請求項２記載の貯蔵庫の断熱ドア構造において、前記裏蓋と前記把手とを、前記ドア断熱組の周縁片を覆う中間片で連接し、裏蓋と中間片とを交差し且つ中間片と把手とを交差したことである。なお、ドア断熱組の周縁片に中間片を連結して、ドアの剛性を更に増すようにすることもある。
本手段にあっては、裏蓋と中間片、中間片と把手との各々が交差するように連接しているので、これらを一体とした部材の剛性が大きくなる。その結果、本手段の断熱ドア構造にあっては、裏蓋と中間片と把手とを一体とした部材の剛性が大きくなるため、この部材を備えたドアの剛性も増して頑丈となる。
【００１２】
前記（５），（６），（７）の問題を解決するための採用した手段は、前記裏蓋，前記中間片及び前記把手を一枚の金属板から一体に成形し、前記裏蓋を平坦に形成したことである。
本手段にあっては、裏蓋，中間片及び把手を一枚の金属板から一体に成形しているため、裏蓋に割れ等の不良を生じさせることなく裏蓋をドア断熱組の裏接合片に接合でき、また、裏蓋の耐アタック性を別に考慮する必要もなくなる。更に、裏蓋を平坦に形成してあるため、汚れ等が付着し難く、仮に付着しも簡単に除去できる。その結果、本手段の断熱ドア構造にあっては、裏蓋に割れ等の不良を生じさせることなく裏蓋をドア断熱組の裏接合片に接合できるため、製造上の管理の手間を軽減でき、また、裏蓋の耐アタック性を考慮する必要もなくなるため、設計上の手間を軽減できる。更に、平坦に形成した裏蓋には汚れ等が付着し難く、仮に付着しも簡単に除去できるため、清掃が楽になる。
【００１３】
【発明の実施の形態】
以下、本発明に係る貯蔵庫の断熱ドア構造を製氷機に適応した図１乃至図３に示す実施の形態に基づいて説明する。図１はドア１２を分解して裏側から見た斜視図、図２は製氷機本体１１の氷取出口１１ａをドア１２で閉じた状態を断面して示す側面図、図３は製氷機本体１１の氷取出口１１ａを開いた状態を示す側面図である。
【００１４】
本実施の形態の断熱ドア構造は、製氷機本体１１の手前側（氷を取出す側）Ａに開口した氷取出口１１ａをドア１２で開閉するものであり、製氷機本体１１に左右のヒンジ１３，１３を介してドア１２を取付けてある。ドア１２は、氷取出口１１ａを閉じたとき、表側が手前側Ａに面し、裏側が氷取出口１１ａの内側に面するようになっている。ドア１２は、ドア断熱組６と、ドア断熱組１６の裏面を覆う裏蓋１７と、開閉操作用の把手１８と、開き状態を保持させるストッパ−片１４とを備えている。
【００１５】
上記ドア断熱組１６は、金属（例えば、ステンレススチール）製のケーシング１５の表板１５ａ，周縁片１５ｂ及び裏接合片１５ｃで、内側に充填してある発泡ウレタン製等の断熱層２３を囲むように構成してある。ドア断熱組１６は、下側の周縁片１５ｂに左右のヒンジ１３，１３をビス又は溶接で接合してある。断熱組１６は、上側の裏接合片１５ｃに１個又は複数個のマグネット式のキャッチャー２０を取り付け、ドア１２を閉じたときに、製氷機本体１１の氷取出口１１ａの外側周縁１１ｂに備えた相手方の鉄部（図示略）へ磁力で吸着するよにしてある。なお、製氷機本体１１の外側周縁１１ｂにキャッチャー２０を取り付け、ドア断熱組１６の裏接合片１５ｃに相手方の鉄部を取り付けることもある。
【００１６】
前記ドア１２は、裏蓋１７の下端１７ａ側から前記製氷機本体１１の外側に位置するストッパー片１４を延設してある。ストッパー片１４は、裏蓋下端１７ａからドア表側へ向かって行く程に下方へ変位するように形成され、その下面を当接部１４ａとしてある。このように形成したストッパー片１４は、ドア１２が開いたとき（図３参照）に、製氷機本体１１の氷取出口１１ａの外側（手前側に面する）周縁１１ｂに、手前側に露出した当接部１４ａを当接させて縦開き状態を保持することになる。裏蓋１７及びストッパー片１４は、一枚のステンレススチール等の金属板から一体に成形してある。ストッパー片１４は、常に製氷機本体１１の外側に露出しているので、製氷機本体１１に従来のストッパー格納室１ｂ（図５参照）を設ける必要がなく、製氷機本体１１の部品点数及び製造工数を低減できる。
【００１７】
前記ドア１２は、裏蓋１７の上端１７ｂ側に、把手１８を一体に形成してある。裏蓋１７と把手１８は、中間片１９で連接され、裏蓋１７と中間片１９とを交差し且つ中間片１９と把手１８とを交差して、剛性を大きくしてある。中間片１９は、ドア断熱組１５の上側の周縁片１５ｂを覆うものであり、この各交差は、直角にしてある。裏蓋１７及び中間片１９及び把手１８は、一枚のステンレススチール等の金属板から一体に成形してある。
【００１８】
前記裏蓋１７は、凹凸のない平坦に形成してあり、ごみ等を付着し難くして清掃をし易くしてある。裏蓋１７は、キャッチャー２０を臨ませるための開口部１７ｃを設けてある。ドア１２は、断熱組１６の四辺の裏接合片１５ｃに裏蓋１７をビス又はリベット等の連結具２２で接合すると共に、上方の周縁片１５ｂに中間片１９を該連結具２２で接合してある。前記ドア１２は、裏側にスロープ掛け金具２１を設けることもある。また、ドア１２は、ドア断熱組１６と裏蓋１７との間に、パッキン９（図４参照）を必要に応じて配置することもある。
【００１９】
前記ドア１２は、ドア断熱組１６の裏接合片１５ｃに裏蓋１７を接合することにより、同時にストッパー片１４及び把手１８を備えることになり、組立時の部品点数及び接合のための作業工数を低減でき。また、ドア１２は、裏蓋１７をステンレススチール等の金属板から成形しているため、ドア断熱組１６の裏接合片１５ｃに裏蓋１７を連結具２２で接合するときに、裏蓋１７に割れ等の不良を生じさせることなく組立作業ができると共に、裏蓋１７が発泡ウレタン製等の断熱層２３でダメイジを受けることもない。
【００２０】
前記ドア１２は、製氷機本体１１の氷取出口１１ａを閉じるように直立した状態のときは、マグネット式のキャッチャー２０で閉じ状態を保持し、製氷機本体１１から氷を取り出すときには、把手１８を手前側へ引っ張ることでヒンジ１３を中心として手前側に傾倒し、製氷機本体１１の氷取出口１１ａの外側周縁１１ｂにストッパー片１４の露出した当接部１４ａを当接させることで、開放状態を保持する。
【００２１】
本発明に係る貯蔵庫の断熱ドア構造は、製氷機の断熱ドア構造に限定するものではなく、冷却貯蔵庫，貯氷庫又は保温庫等の貯蔵庫の取出口を開閉する断熱ドア構造に適応することも勿論可能である。
【００２２】
【発明の効果】
請求項１記載の本発明に係る貯蔵庫の断熱ドア構造は、ドア断熱組の裏接合片に裏蓋を接合すると同時に当接部を備えることになるため、組立時の部品点数及び接合のための作業工数を低減でき、また、従来のストッパー格納室及びストッパー格納室の開口部を設ける必要がないため、貯蔵庫本体の部品点数及び製造工数を低減できると共に、貯蔵庫本体の手前側に水等の浸入する開口部がなくなり見栄えもよく衛生的である。
【００２４】
請求項２記載の本発明に係る貯蔵庫の断熱ドア構造は、ドア断熱組の裏接合片に裏蓋を接合すると同時に把手及び当接部を備えることになるため、組立時の部品点数及び接合のための作業工数を低減でき、また、従来のストッパー格納室及びストッパー格納室の開口部を設ける必要がないため、貯蔵庫本体の部品点数及び製造工数を低減できると共に、貯蔵庫本体の手前側に水等の浸入する開口部がなくなり見栄えもよく衛生的である。
【図面の簡単な説明】
【図１】本発明に係る貯蔵庫の断熱ドア構造を製氷機に適応した実施の形態を示すものであり、ドアを分解して裏側から見た斜視図である。
【図２】同実施の形態において、貯蔵庫本体（製氷機本体）の取出口（氷取出口）をドアで閉じた状態を断面して示す側面図である。
【図３】同実施の形態において、貯蔵庫本体（製氷機本体）の取出口（氷取出口）を開いた状態を示す側面図である。
【図４】従来のドアを分解して表側から見た斜視図である。
【図５】従来の製氷機本体の氷取出口を開いた状態を示す側面図である。
【符号の説明】
１１…貯蔵庫本体（製氷機本体）、１１ａ…取出口（氷取出口）、１１ｂ…外側周縁、１２…ドア、１４…ストッパー片、１４ａ…当接部、１５ａ…表板、１５ｂ…周縁片、１５ｃ…裏接合片，１６…ドア断熱組、１７…裏蓋、１８…把手、２３…断熱層
【図１】
0004545369.tif 000002
【図２】
0004545369.tif 000003
【図３】
0004545369.tif 000004
【図４】
0004545369.tif 000005
【図５】
0004545369.tif 000006